(57)【要約】【課題】バヨネット機構の部品点数を削減して小形化・低価格化を図る。【解決手段】装置本体に形成されたマウントに対して装着部材を回転させることで、前記マウントを介して前記装着部材を装置本体に装着させるバヨネット機構において、前記マウントから前記装置本体の外部に突出する突出位置と前記装置本体の内部の退避位置との間で移動可能であり、前記装着部材に形成された突起部（爪部２ａ）と当接することにより、該装着部材の装着状態をロックするロック部材（ロック爪１２ｂ）と、前記ロック部材を移動させることにより前記装着状態のロックを解除するロック解除部材とを一体に形成し、前記ロック部材と前記装着部材の突起部との当接面（１２ｃ）に勾配を形成した。【選択図】図５
2007211930.tif 000002
【特許請求の範囲】
【請求項１】
装置本体に形成されたマウントに対して装着部材を回転させることで、前記マウントを介して前記装着部材を装置本体に装着させるバヨネット機構において、
前記マウントから前記装置本体の外部に突出する突出位置と前記装置本体の内部の退避位置との間で移動可能であり、前記装着部材に形成された突起部と当接することにより、該装着部材の装着状態をロックするロック部材と、前記ロック部材を移動させることにより前記装着状態のロックを解除するロック解除部材とを一体に形成し、前記ロック部材と前記装着部材の突起部との当接面に勾配を形成したことを特徴とするバヨネット機構。
【請求項２】
前記勾配は、前記ロック部材に形成されていることを特徴とする請求項１に記載のバヨネット機構。
【請求項３】
前記勾配は、前記装着部材の突起部に形成されていることを特徴とする請求項１に記載のバヨネット機構。
【請求項４】
前記勾配は、前記ロック部材と前記装着部材の突起部の両方に形成されていることを特徴とする請求項１に記載のバヨネット機構。
【請求項５】
前記一体に形成された前記ロック部材とロック解除部材は、１つの付勢手段により前記前記装置本体の外部の方向に付勢されていることを特徴とする請求項１〜４の何れかに記載のバヨネット機構。
【発明の詳細な説明】
【技術分野】
【０００１】
本発明は、装着部材を装置本体に着脱自在に係合するバヨネット機構に関する。
【背景技術】
【０００２】
従来、デジタルスチルカメラ等において、バヨネット機構を介してレンズ先端、カメラ本体側にレンズアダプタのオプションを装着し、ワイドコンバータ、テレコンバータにより、広角撮影、望遠撮影を行なう技術が知られている。また、バヨネット機構の部品点数を削減することにより、カメラの小型化・低価格化を図ることが要望されている。
【０００３】
そこで、バヨネット機構として、例えば、特許文献１（特開２００４−２７２００３号公報）が提案されている。この特許文献１に係るバヨネット機構は、ロック部材、ロック解除部材、ロック解除部材に対する付勢部材、バヨネット機構のホールド部材とを有している。また、特許文献１に係るバヨネット機構では、ロック部材とロック解除部材を１つの付勢部材で付勢しており、ロック部材とロック解除部材を２つの付勢部材で個別に付勢する構成に比べて部品点数を減らして小型化・低価格化を図ることができる。
【特許文献１】特開２００４−２７２００３号公報
【発明の開示】
【発明が解決しようとする課題】
【０００４】
しかしながら、特許文献１に係るバヨネット機構では、ロック部材とロック解除部材は別体に構成され、この点で部品点数が多くなっていた。
【０００５】
本発明は、このような背景の下になされたもので、その目的は、バヨネット機構の部品点数を削減して小形化・低価格化を図ることにある。
【課題を解決するための手段】
【０００６】
上記目的を達成するため、本発明は、装置本体に形成されたマウントに対して装着部材を回転させることで、前記マウントを介して前記装着部材を装置本体に装着させるバヨネット機構において、前記マウントから前記装置本体の外部に突出する突出位置と前記装置本体の内部の退避位置との間で移動可能であり、前記装着部材に形成された突起部と当接することにより、該装着部材の装着状態をロックするロック部材と、前記ロック部材を移動させることにより前記装着状態のロックを解除するロック解除部材とを一体に形成し、前記ロック部材と前記装着部材の突起部との当接面に勾配を形成している。
【発明の効果】
【０００７】
本発明によれば、ロック部材とロック解除部材を一体に形成し、ロック部材と装着部材の突起部との当接面に勾配を形成したので、バヨネット機構の部品点数を削減して小形化・低価格化を図ることが可能となる。
【発明を実施するための最良の形態】
【０００８】
以下、本発明を実施するための最良の形態を、図面に基づいて説明する。
【０００９】
図１は、本発明の実施の形態に係るバヨネット機構を適用したカメラの外観斜視図である。図２は、バヨネット式のキャップの裏面図である。図３は、カメラのフロントカバーに形成されたバヨネット機構の部分の分解斜視図である。図４は、バヨネット機構の断面図である。図５は、バヨネット機構のロック部材と上記バヨネット式のキャップの爪部を示す模式図である。図６は、図５に対応する図であり、ロック部材に静圧負荷が掛かった状態を示す図である。
【００１０】
図１において、カメラ本体１は、フロントカバー３、リアカバー４を有している。フロントカバー３には、不図示の交換レンズ、アダプタ装置等のオプションで提供されるアクセサリ装置を装着するためのマウント３ａが形成され、このマウント３ａ上に後述するバヨネット機構が形成されている。なお、アクセサリ装置をマウント３ａに装着しない場合は、図２に示したバヨネット式のキャップ２をマウント３ａに装着することにより、マウント３ａ及びカメラの内部の機構を保護することができる。
【００１１】
このキャップ２は、図２に示したように、その周面にマウント３ａと係合する３つの爪部２ａを有している。なお、図２に示した符号２ｂは爪部２ａの一端部であり、後述するロック爪１２ｂとの当接部となっている。なお、当該カメラ本体１に装着するアクセサリ装置にも、キャップ２の爪部２ａと同様の爪部が形成されているが、ここでは、キャップ２を代表例として説明していく。
【００１２】
図１において、マウント３ａは、キャップ２の爪部２ａが進入可能なガイド溝３ｂを有し、このガイド溝部３ｂは、爪部２ａと同じ位相になるように配置されている。また、ガイド溝部３ｂの一端には、マウント３ａの周方向に伸びる係合溝部３ｃが形成されている。
【００１３】
このような構成において、キャップ２の爪部２ａをフロントカバー３のガイド溝部３ｂに嵌め込み、キャップ２を光軸周り（図１の時計周り方向）に回動させて、爪部２ａおよび係合溝部３ｃを係合させるこにより、キャップ２をカメラ本体１のマウント３ａに装着することができる。
【００１４】
フロントカバー３のマウント３ａの内側には、被写体光束が通過するレンズ鏡筒部５が形成されている。レンズ鏡筒部５を通過した被写体に係る光学像は、カメラ本体１内に配置された不図示の記録媒体（銀塩フイルム叉はＣＣＤ等の撮像素子）上に結像する。
【００１５】
レンズ鏡筒部５の上方には、被写体に係る光学像を観察するためのファインダ窓部６が配置されている。また、ファインダ窓部６の右横には、閃光発光装置のフレネルレンズ７が配置されている。また、ファインダ窓部６の左横には、赤目緩和用、及びＡＦ補助用のプリ照明光を被写体に照射するためのレンズ８が設けられている。
【００１６】
さらに、カメラ本体１の上面には、電源ボタン９が設けられ、この電源ボタン９を操作することで、カメラ本体１を起動させることができる。また、カメラ本体１の上面には、レンズ鏡筒部５内のレンズ系の焦点距離を変更するためのズーム切換レバーも設けられている。このズーム切換レバーは、不図示のシャッターボタンを取り囲むように配置され、シャッターボタンに対して回動可能となっている。ズーム切換レバー１０を一方向に回動させると、レンズ系の焦点距離は、ワイド方向に切り替わり、他方に回動させるとテレ方向に切り替わる。
【００１７】
不図示のシャッターボタンは、２段階の押下操作に対応する２つのスイッチに接続されている。シャッターボタンを半押し操作すると、撮影準備動作（測光動作や測距動作等）が開始され、全押し操作すると、撮影動作（記録媒体への露光）が開始される。撮像素子によって撮影された画像データは、液晶表示装置（図示省略）に撮影画像として表示され、各種メモリーカード等の記憶媒体に記録することができる。
【００１８】
カメラ本体１の左側には、記録媒体叉は電池を収納する収納室の開口部を覆う蓋部材１１が設けられている。この蓋部材１１は、カメラ本体１に対して回動可能に取り付けられている。蓋部材１１を閉状態（図１の状態）から回動させると、上記の収納室を開状態とすることができ、この開状態において、収納室に記録媒体叉は電池を出し入れすることができる。
【００１９】
図１に示したように、マウント３ａの外周の一部は突出しており、この部分にはバヨネット機構のロック解除ボタン１２ａが埋設されている。また、マウント３ａ上には、ロック爪１２ｂが配備されている。
【００２０】
図３、図４に示したように、ロック解除ボタン１２ａはロック爪１２ｂと一体に構成され、略Ｌ字の形状となっている。すなわち、ロック解除ボタン１２ａとロック爪１２ｂとは、一体化され、同一の部材で構成されている。なお、以後、ロック解除ボタン１２ａとロック爪１２ｂを総称する場合は、ロック部１２という。
【００２１】
ロック部１２は、ホルダ１４に保持された状態でマウント３ａに取り付けられている。この際、ロック部１２は、１つの弾性部材１３により、カメラ本体１の外部の方向、すなわちロックする方向（図４の矢印Ａの方向）に付勢されている。ロック解除ボタン１２ａは、弾性部材１３からの付勢力を受けることで、図１に示すように、マウント３ａに形成された穴部３ｄを貫通して、マウント３ａから突出する。この際、ロック爪１２ｂは、ロック解除ボタン１２ａと一体に構成されているので、ロック解除ボタン１２ａと一体的に動作してマウント３ａから突出し、自動的にロック状態となる。
【００２２】
また、ロック爪１２ｂには、キャップ２の爪部２ａと当接する当接面１２ｃに勾配が形成されている（図５、図６参照）。
【００２３】
このような構成のバヨネット機構において、ロック解除ボタン１２ａが図４の矢印Ｂの方向に押し込まれると、ロック爪１２ｂは、弾性部材１３の付勢力に抗してカメラ本体１内に収納され、ロック状態が解除される。
【００２４】
以上説明したように、ロック解除ボタン１２ａとロック爪１２ｂを一体に構成したことにより、バヨネット機構の部品点数を削減することができ、バヨネット機構を小型化することが可能となる。
【００２５】
また、ロック爪１２ｂに対しては、キャップ２の爪部２ａとの当接面１２ｃに勾配が設けられている。この勾配は、次のように機能する。キャップ２が回動することで発生する静圧、すなわち、図１の反時計回り方向（図４の矢印Ｃ１方向、図５、図６の矢印Ｄ方向）の静圧を、ロック爪１２ｂの当接面１２ｃが受けた場合に、ロック爪１２ｂは、この静圧によりキャップ２がマウント３ａから脱落する方向に傾くこととなる（図６参照）。
【００２６】
しかし、ロック爪１２ｂの当接面１２ｃは、この脱落する方向の傾きとは逆の向きの勾配を有している。しかも、その勾配の度合い（傾き量）は、ロック爪１２ｂが上記の静圧により傾く量よりも大きくなっている。従って、ロック爪１２ｂが上記の静圧により傾いても、その当接面１２ｃは、図６に示したように、キャップ２の爪部２ａがマウント３ａから脱落するのを防止し得る角度を維持している。
【００２７】
換言すれば、ロック爪１２ｂが上記の静圧により傾いた場合、ロック爪１２ｂの当接面１２ｃは、マウント３ａに対して９０度未満の角度を維持しており、キャップ２の爪部２ａは、当接面１２ｃの法線方向に反力を受ける。その反力は、図４の矢印Ｂの方向と図４の矢印Ｃ２の分力に分けることができ、キャップ２が脱落する方向（図４の矢印Ａの方向）には作用しないので、キャップ２がマウント３ａから脱落することはない。すなわち、ロック爪１２ｂは、キャップ２が回動することで発生する静圧を受けたとしても、そのロック機能を維持することができる。
【００２８】
なお、本発明は、上記の実施の形態に限定されることなく、例えば、ロック爪１２ｂに対して、キャップ２の爪部２ａとの当接面に勾配を形成することなく、キャップ２の爪部２ａに対して、ロック爪１２ｂとの当接面に勾配を形成することも可能である。
【００２９】
また、ロック爪１２ｂとキャップ２の爪２ｂの両方に上記の勾配を形成することも可能である。
【００３０】
更に、本発明は、カメラ以外の装置に係るバヨネット機構に適用することも可能である。
【図面の簡単な説明】
【００３１】
【図１】本発明の実施の形態に係るバヨネット機構を適用したカメラの外観斜視図である。
【図２】バヨネット式のキャップの裏面図である。
【図３】図１のカメラのフロントカバーに形成されたバヨネット機構の部分の分解斜視図である。
【図４】バヨネット機構の断面図である。
【図５】バヨネット機構のロック部材とバヨネット式のキャップの爪部を示す模式図である。
【図６】ロック部材に静圧負荷が掛かった状態を示す図である。
【符号の説明】
【００３２】
１…カメラ本体
２…キャップ
２ａ…マウントと係合するキャップの爪部
３ａ…カメラ本体のマウント
３ｂ…キャップの爪部が進入可能なガイド溝
３ｃ…キャップの爪部と係合する係合溝部
１２…ロック部
１２ａ…ロック解除ボタン
１２ｂ…ロック爪
１２ｃキャップの爪部との当接面
１３…弾性部材
１４…‥ホルダ
【図１】
2007211930.tif 000003
【図２】
2007211930.tif 000004
【図３】
2007211930.tif 000005
【図４】
2007211930.tif 000006
【図５】
2007211930.tif 000007
【図６】
2007211930.tif 000008